【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
帳票種別を示す付加情報が画像にあるか判別する判別手段と、
前記判別手段により付加情報があると判別された場合、画像に基づき帳票認識処理を行わず、前記判別手段により付加情報がないと判別された場合、画像に基づき帳票認識処理を行う帳票認識処理手段と、
前記付加情報、または前記帳票認識手段により認識された帳票種別に基づき、文字認識処理を行う文字認識処理手段と、
前記画像、前記付加情報または前記帳票種別、及び前記文字認識処理手段による文字認識結果を保存する保存手段とを有することを特徴とするデータ処理装置。
【請求項２】
帳票種別を二重チェックするか否かを判定する判定手段を有し、
前記帳票認識処理手段は、前記判別手段により付加情報があると判別され、前記判定手段により帳票種別を二重チェックしないと判定された場合、画像に基づき帳票認識処理を行わず、前記帳票認識処理手段は、前記判別手段により付加情報があると判別され、前記判定手段により帳票種別を二重チェックすると判定された場合、画像に基づき帳票認識処理を行うことを特徴とする請求項１記載のデータ処理装置。
【請求項３】
前記付加情報と前記帳票認識処理手段により処理された認識結果が異なる場合、帳票種別を再選択させる再選択手段をさらに有することを特徴とする請求項２記載のデータ処理装置。
【請求項４】
前記画像は、画像読取装置で読み取られた画像を含み、
前記付加情報は、画像読取装置でユーザにより指定された帳票種別の情報を含むことを特徴とする請求項１記載のデータ処理装置。
【請求項５】
前記付加情報がＦＡＸ文書の付加情報の場合、宛先ＦＡＸ番号を読み出し、読み出されたＦＡＸ番号に割り当てられた帳票種別を読み出す読み出し手段をさらに有することを特徴とする請求項１記載のデータ処理装置。
【請求項６】
帳票種別情報が付加された画像情報を入力する入力手段と、
前記入力手段により入力された画像情報の文字認識処理を付加されている帳票種別情報に基づき行う文字認識手段と、
前記文字認識手段により文字認識された結果と前記画像情報とを保存する保存手段と、
前記入力手段により入力された画像情報の帳票認識処理を行う帳票認識手段と、
前記帳票認識手段により帳票認識された帳票種別と前記入力手段により入力された帳票種別が一致するか否かを判別する判別手段とを有し、
前記判別手段により帳票種別が一致したと判別された場合、前記文字認識手段による文字認識を行うことを特徴とするデータ処理装置。
【請求項７】
帳票種別を示す付加情報が画像にあるか判別する判別ステップと、
前記判別ステップにより付加情報があると判別された場合、画像に基づき帳票認識処理を行わず、前記判別ステップにより付加情報がないと判別された場合、画像に基づき帳票認識処理を行う帳票認識処理ステップと、
前記付加情報、または前記帳票認識ステップにより認識された帳票種別に基づき、文字認識処理を行う文字認識処理ステップと、
前記画像、前記付加情報または前記帳票種別、及び前記文字認識処理ステップによる文字認識結果を保存する保存ステップとを有することを特徴とするデータ処理方法。
【請求項８】
帳票種別を二重チェックするか否かを判定する判定ステップを有し、
前記帳票認識処理ステップは、前記判別ステップにより付加情報があると判別され、前記判定ステップにより帳票種別を二重チェックしないと判定された場合、画像に基づき帳票認識処理を行わず、前記帳票認識処理ステップは、前記判別ステップにより付加情報があると判別され、前記判定ステップにより帳票種別を二重チェックすると判定された場合、画像に基づき帳票認識処理を行うことを特徴とする請求項７記載のデータ処理方法。
【請求項９】
前記付加情報と前記帳票認識処理ステップにより処理された認識結果が異なる場合、帳票種別を再選択させる再選択ステップをさらに有することを特徴とする請求項８記載のデータ処理方法。
【請求項１０】
前記画像は、画像読取装置で読み取られた画像を含み、
前記付加情報は、画像読取装置でユーザにより指定された帳票種別の情報を含むことを特徴とする請求項７記載のデータ処理方法。
【請求項１１】
前記付加情報がＦＡＸ文書の付加情報の場合、宛先ＦＡＸ番号を読み出し、読み出されたＦＡＸ番号に割り当てられた帳票種別を読み出す読み出しステップをさらに有することを特徴とする請求項７記載のデータ処理方法。
【請求項１２】
帳票種別情報が付加された画像情報を入力する入力ステップと、
前記入力ステップにより入力された画像情報の文字認識処理を付加されている帳票種別情報に基づき行う文字認識ステップと、
前記文字認識ステップにより文字認識された結果と前記画像情報とを保存する保存ステップと、
前記入力ステップにより入力された画像情報の帳票認識処理を行う帳票認識ステップと、
前記帳票認識ステップにより帳票認識された帳票種別と前記入力ステップにより入力された帳票種別が一致するか否かを判別する判別ステップとを有し、
前記判別ステップにより帳票種別が一致したと判別された場合、前記文字認識ステップによる文字認識を行うことを特徴とするデータ処理方法。
【請求項１３】
帳票種別を示す付加情報が画像にあるか判別する判別ステップと、
前記判別ステップにより付加情報があると判別された場合、画像に基づき帳票認識処理を行わず、前記判別ステップにより付加情報がないと判別された場合、画像に基づき帳票認識処理を行う帳票認識処理ステップと、
前記付加情報、または前記帳票認識ステップにより認識された帳票種別に基づき、文字認識処理を行う文字認識処理ステップと、
前記画像、前記付加情報または前記帳票種別、及び前記文字認識処理ステップによる文字認識結果を保存する保存ステップとをコンピュータに実行させるプログラム。
【請求項１４】
帳票種別を二重チェックするか否かを判定する判定ステップをさらにコンピュータに実行させ、
前記帳票認識処理ステップは、前記判別ステップにより付加情報があると判別され、前記判定ステップにより帳票種別を二重チェックしないと判定された場合、画像に基づき帳票認識処理を行わず、前記帳票認識処理ステップは、前記判別ステップにより付加情報があると判別され、前記判定ステップにより帳票種別を二重チェックすると判定された場合、画像に基づき帳票認識処理を行うことを特徴とする請求項１３記載のプログラム。
【請求項１５】
前記付加情報と前記帳票認識処理ステップにより処理された認識結果が異なる場合、帳票種別を再選択させる再選択ステップをさらにコンピュータに実行させることを特徴とする請求項１４記載のプログラム。
【請求項１６】
前記画像は、画像読取装置で読み取られた画像を含み、
前記付加情報は、画像読取装置でユーザにより指定された帳票種別の情報を含むことを特徴とする請求項１３記載のプログラム。
【請求項１７】
前記付加情報がＦＡＸ文書の付加情報の場合、宛先ＦＡＸ番号を読み出し、読み出されたＦＡＸ番号に割り当てられた帳票種別を読み出す読み出しステップをさらにコンピュータに実行させることを特徴とする請求項１３記載のプログラム。
【請求項１８】
帳票種別情報が付加された画像情報を入力する入力ステップと、
前記入力ステップにより入力された画像情報の文字認識処理を付加されている帳票種別情報に基づき行う文字認識ステップと、
前記文字認識ステップにより文字認識された結果と前記画像情報とを保存する保存ステップと、
前記入力ステップにより入力された画像情報の帳票認識処理を行う帳票認識ステップと、
前記帳票認識ステップにより帳票認識された帳票種別と前記入力ステップにより入力された帳票種別が一致するか否かを判別する判別ステップとをコンピュータに実行させ、
前記判別ステップにより帳票種別が一致したと判別された場合、前記文字認識ステップによる文字認識を行うことを特徴とするプログラム。
【手続補正２】
【補正対象書類名】明細書
【補正対象項目名】発明の名称
【補正方法】変更
【補正の内容】
【発明の名称】データ処理装置、データ処理方法、及びプログラム
【手続補正３】
【補正対象書類名】明細書
【補正対象項目名】０００１
【補正方法】変更
【補正の内容】
【０００１】
本発明は、スキャニング機器により紙の帳票をスキャンして得た画像、或いはファクシミリ（以下ＦＡＸ）機器により受信した文書を電子化して電子帳票として処理する場合に適用可能なデータ処理装置、データ処理方法、及びプログラムに関する。
【手続補正４】
【補正対象書類名】明細書
【補正対象項目名】０００８
【補正方法】変更
【補正の内容】
【０００８】
本発明の目的は、情報管理装置における帳票種別の判別処理の負荷を軽減するとともに、帳票種別ごとに画像データを予め正しく分類することを可能とし、帳票種別を特定する精度を向上可能としたデータ処理装置、データ処理方法、及びプログラムを提供することにある。
【手続補正５】
【補正対象書類名】明細書
【補正対象項目名】０００９
【補正方法】変更
【補正の内容】
【０００９】
上述の目的の少なくとも１つを達成するために、本発明のデータ処理装置は、帳票種別を示す付加情報が画像にあるか判別する判別手段と、前記判別手段により付加情報があると判別された場合、画像に基づき帳票認識処理を行わず、前記判別手段により付加情報がないと判別された場合、画像に基づき帳票認識処理を行う帳票認識処理手段と、前記付加情報、または前記帳票認識手段により認識された帳票種別に基づき、文字認識処理を行う文字認識処理手段と、前記画像、前記付加情報または前記帳票種別、及び前記文字認識処理手段による文字認識結果を保存する保存手段とを有することを特徴とする。
【手続補正６】
【補正対象書類名】明細書
【補正対象項目名】００１０
【補正方法】変更
【補正の内容】
【００１０】
上述の目的の少なくとも１つを達成するために、本発明のデータ処理装置は、帳票種別情報が付加された画像情報を入力する入力手段と、前記入力手段により入力された画像情報の文字認識処理を付加されている帳票種別情報に基づき行う文字認識手段と、前記文字認識手段により文字認識された結果と前記画像情報とを保存する保存手段と、前記入力手段により入力された画像情報の帳票認識処理を行う帳票認識手段と、前記帳票認識手段により帳票認識された帳票種別と前記入力手段により入力された帳票種別が一致するか否かを判別する判別手段とを有し、前記判別手段により帳票種別が一致したと判別された場合、前記文字認識手段による文字認識を行うことを特徴とする。
【手続補正７】
【補正対象書類名】明細書
【補正対象項目名】００１１
【補正方法】変更
【補正の内容】
【００１１】
本発明によれば、転送先のデータ処理装置においては、帳票種別の判別処理が不要となり負荷を軽減することが可能となる。